(57)【要約】 【課題】  駐車場の料金額表示を必要に応じて変更可能とすると共にその変更を利用者に対して違和感なく表示できる駐車場料金額表示板の提供を課題とする。【解決手段】  駐車場の駐車料金を表示する駐車場料金額表示板にＬＥＤよりなる多数の表示素子により表示される駐車料金の計算の基準となる時間の表示及び単位時間当たりの料金額の表示を有し、この時間の表示及び料金額の表示の変更が可能な駐車場料金額表示板である。【選択図】    図１
0003151090.tif 000002
【実用新案登録請求の範囲】
【請求項１】
駐車場の駐車料金を表示する駐車場料金額表示板であって、
単位時間当たりの料金額の表示３がＬＥＤよりなる多数の表示素子により表示されると共に該表示する料金額の表示の変更が可能であることを特徴とする駐車場料金額表示板。
【請求項２】
駐車場の駐車料金を表示する駐車場料金額表示板であって、
駐車料金の計算の基準となる時間の表示２がＬＥＤよりなる多数の表示素子により表示されると共に該表示する時間の表示の変更が可能であることを特徴とする駐車場料金額表示板。
【請求項３】
駐車場の駐車料金を表示する駐車場料金額表示板であって、
駐車料金の計算の基準となる時間の表示２及び単位時間当たりの料金額の表示３を有し、これらがＬＥＤよりなる多数の表示素子により表示されると共に該表示する時間の表示及び料金額の表示の変更が可能であることを特徴とする駐車場料金額表示板。
【請求項４】
電光表示が電球よりなる多数の表示素子であることを特徴とする請求項１乃至３のいずれかに記載の駐車場料金額表示板。
【請求項５】
電光表示が電光管よりなる表示素子であることを特徴とする請求項１乃至３のいずれかに記載の駐車場料金額表示板。
【請求項６】
電光表示に代えて液晶表示からなることを特徴とする請求項１乃至３のいずれかに記載の駐車場料金額表示板。
【請求項７】
電光表示の表示内容が制御コントロール部によって制御するものであること特徴とする請求項１乃至６のいずれかに記載の駐車場料金額表示板。
【請求項８】
電光表示の表示内容が駐車場の管理システム又は料金請求システムと連動するものであることを特徴とする請求項１乃至７のいずれかに記載の駐車場料金額表示板。
【考案の詳細な説明】
【技術分野】
【０００１】
本考案は、駐車場の料金に関する駐車料金額表示板であって、より詳細には駐車場の駐車利用金の料金額を任意に表示可能な表示板に関する。
【背景技術】
【０００２】
従来より、駐車場に関しては種々の表示板が用いられるものであり、例えば駐車場の存在を示す看板や料金を示す看板或いは料金体系を示す看板等は予め文字等で必要事項を表示して駐車場の前に表示するものである。
これらはそもそも一定事項を定め、その内容を変更させずに表示するものであって、変更が必要になった場合には、看板を作成し直す等によって対処しているものである。
従って、これ等の事項に関しては看板に記載するか、変更のない電光表示によって表示する等によって表示するものである。
【０００３】
これらと異なり、駐車場の状況によって変動する事項に関しては、例えば満車表示と空車表示の二種類を作成し、これらを必要に応じて各々点灯させて状況を明示する表示板も存在する。
更には駐車場内の空き場所近傍の案内表示等によって表示する表示板も多用されている。
例えば特開平８‐５５２９９号（特許文献１）や特開２００３‐２５６５８８号（特許文献２）が夫々該当する。
【特許文献１】特開平８‐５５２９９号
【特許文献２】特開２００３‐２５６５８８号
【考案の開示】
【考案が解決しようとする課題】
【０００４】
以上の様に、駐車場の表示板に関してはそもそも一定事項のみを表示するものと、駐車場の状況によって的確な表示を行なうものと二種類に大別される。
一定事項のみを表示すればよい事項としてあるのは駐車場の場所の明示のための看板や駐車場の内容を明示する看板、駐車場のシステムを表示する看板及び駐車料金を明示する看板である。
これらは定まった事項として理解されており、これ等の変更に際しては看板自体の作り変えを行うものである。
【０００５】
この他、駐車場の日々刻々の変化に対応して必要状態を表示する表示板としては空車や満車表示の表示板、或いは駐車場所を運転者に理解させるための駐車場所を表示する表示板はその状況に応じた表示が必要であり、表示内容の変更がなされる表示板を用いられるものである。
但し、満車及び空車表示は夫々の表示板を必要に応じて交互に点灯或いは表面表示することにより、状況を理解させるものが多用されているに過ぎない。
従って、この様な状況下においては、駐車場の料金は予め定めた料金によって計算されるものであり、その表示料金体系によって駐車場の料金が定められているものであった。
【０００６】
反面、駐車場の活用においては一定利用金を定め全てそれによって適用して料金体系を構築するのも一策ではあるが、例えば特定の日即ち正月の利用の多い場所や夏の期間のみ利用の多い場所或いは、該駐車場の場所近傍のお祭りの日等、その他の花見の時期のみ利用が多くなる等の特殊事情を有する駐車場は極めて多くある。
この場合に、この特定の時期のみ料金を高く又は安くする場合には、表示板を作り変えた上付け代えることが必要であり、極めてコストが掛かると共に手間がかかるものである。
【０００７】
更に、例えば紙等で表示部分を覆って変更した表示をした場合には、通常の料金でない極めて特殊な料金額としたことが一見して利用者にわかり、あたかも極めて高額な金額表示としている感を与えてしまい、又極めて付け焼刃的な印象を与えてしまうものであり、営業活動としてはとりづらいものである。
従って、料金体系の変更を行なわずにいつも通りとして適用しなければならないこととなり、せっかくの営業チャンスを生かすことができないものとなりかねなかった。
【０００８】
以上より、駐車場の料金額表示を必要に応じて変更可能とすると共にその変更を利用者に対して違和感なく表示できる駐車場料金額表示板の提供が望まれているものである。
【課題を解決するための手段】
【０００９】
以上のように係る課題を見事に解決するため、画期的な考案を提供するものであり、先ず請求項１に係る考案は、駐車場の駐車料金を表示する駐車場料金額表示板であって、単位時間当たりの料金額の表示がＬＥＤよりなる多数の表示素子により表示されると共に該表示する料金額の表示の変更が可能である駐車場料金額表示板であって、係る考案によって前記課題を解決できる。
【００１０】
又、請求項２に係る考案は駐車場の駐車料金を表示する駐車場料金額表示板であって、駐車料金の計算の基準となる時間の表示がＬＥＤよりなる多数の表示素子により表示されると共に該表示する時間の表示の変更が可能である駐車場料金額表示板であり、係る考案であってもよい。
この他、請求項３に係る考案は、駐車場の駐車料金を表示する駐車場料金額表示板であって、駐車料金の計算の基準となる時間の表示及び単位時間当たりの料金額の表示を有し、これらがＬＥＤよりなる多数の表示素子により表示されると共に該表示する時間の表示及び料金額の表示の変更が可能である駐車場料金額表示板でもよい。
【００１１】
これらの場合、請求項４に係る考案のように電光表示が電球よりなる多数の表示素子であっても、請求項５に係る考案のように電光表示が電光管よりなる表示素子であってもよく、請求項６に係る考案のように電光表示に代えて液晶表示からなるものであってもよい。
更に、この表示に関しては、請求項７に係る考案のように電光表示の表示内容が制御コントロール部によって制御するものでも、請求項８に係る考案のように電光表示の表示内容が駐車場の管理システム又は料金請求システムと連動するものであってもよい。
【考案の効果】
【００１２】
以上のように構成したことにより、請求項１に記載の考案によって駐車場の料金額表示を必要に応じて変更可能とすると共に特に単位時間当たりの料金額の表示を簡単にかつ違和感なく変更できるものである。
従って、特段表示板の変更や見栄えの悪い表示を行なわなくとも必要に応じて最適な料金表示ができるものとなる。
又、請求項２に係る考案によれば駐車場の料金額表示を必要に応じて変更可能とすると共に特に駐車料金の計算の基準となる時間の表示を簡単にかつ違和感なく変更できるものである。
【００１３】
更に請求項３に係る考案によれば駐車料金の計算の基準となる時間の表示と単位時間当たりの料金額の表示の双方を簡単にかつ違和感なく変更できることとなり、極めて応用範囲の広い料金の変更を可能とするものである。
以上のように本考案によって特段表示板の変更や見栄えの悪い表示を行なわなくとも必要に応じて最適な料金表示ができるものとなる。
更にＬＥＤによる電光表示であり、低電圧によって効率よくかつ見やすい表示を可能とするものである。
【００１４】
次に請求項４に係る考案によれば電光表示を電球によって可能となり、又請求項５に係る考案によれば電光管によっても同様に電光表示ができるものであって見やすい表示板の提供を可能とする。
又、請求項６によっても液晶表示による表示板の提供を可能とできる。
更に請求項７に係る考案によれば制御コントロール部によって簡単に表示内容の正業ができるものとなり、請求項８に係る考案によれば各種駐車場システムとの連動によりより使い勝手のよい表示板の提供を可能とするものである。
【考案を実施するための最良の形態】
【００１５】
図１は、本考案に係る駐車場料金額表示板の一例を示す図である。
駐車場の駐車料金の表示板１に関し、その表示の一例として時間と料金の双方を電光表示にて表示する図である。
本図において駐車料金の計算の基準となる時間の表示２として例えば分単位で表示し、単位時間当たりの料金額の表示３もその単位時間に対応する金額を示すものである。
従って両者を伴って駐車料金額の表示を行なうものである。
【００１６】
本図に示す電光表示は例えば電球に限らずＬＥＤを用いてももちろんよい。
又、各表示素子は点表示をもって表示する例を示すがこれに限らず、従来より多用されている棒状形状の表示素子を用いてももちろんよい。
本図では電光表示であるが、もとより数字を表示した表示板を適宜表示部分に表示するものであってもよい。
このように表示することによって、例えば平日の昼は１０分１００円として、夜は２０分１００円等と表示を代えるものであってもよい。
【００１７】
特に、例えば浅草にあっては三社祭の日やほおずき市の日、夏の花火大会の日或いは正月等に関して、一般の日と全く異なる料金表示とする事ができるものである。
この表示も任意にかつ夫々に応じて表示できるばかりでなく利用者においても全く違和感なく判りやすく受け入れられる表示となる。
尚、この表示に関しては別途これらを制御するコントロール部からなる例えばコントロールボックス等を用いて表示の切り替えができるものの他、例えば料金請求システムや駐車場の管理システム等と連動したコンピュータ管理の下に稼動するものであってもよく、いずれのシステムにおいて用いられるものであってもよい。
【００１８】
例えばこのシステムにおいて用いられれば、表示料金で駐車料金を計算して利用者に対して請求できることとなり、極めて使い勝手の良いシステムとして用いることもできる。
尚、時間表示２と料金額表示３の双方の表示を変更可能とするものであるが、必ずしも双方必要とするものではなくいずれか一方のみ有するものでぁってもよい。
何れかでも表示の変更を行えることとすると、料金体系の変更が可能となるものである。
尚、本図では時間表示２を分で表示するか、これに限らず、時をもって表示しても、日や月をもって表示してもよい。
駐車料金の計算の基準となる時間を示すものであればよい。
【００１９】
図２は、図１の時間を変更せずに料金のみ２００円と料金額表示３を変更した表示板１の一例を示すものである。
図３は、時間表示２の時間を３０分単位と変更し、更に料金額表示３の料金を２００円とした表示板１の一例を示す。
このように必要に応じて任意の料金体系を取ることができ、駐車場の運営者にとって極めて使い勝手の良い表示板の提供ができるものである。
【００２０】
図４は、駐車料金の計算の基準となる時間の表示である単位時間をそのまま表示板１に表示し、料金額のみ単位時間当たりの料金額の表示３に電光表示として表示した一例を示す。
これによっても、料金額を変更できるものであり、任意の料金を料金額表示板に表示できるものである。
図５は、単位時間当たりの料金額の表示をそのまま表示板１に表示し、駐車料金の計算の基準となる時間の表示２のみ電光表示とした一例を示す。
【００２１】
このように構成するものであっても同様に任意の料金体系を表示できるものであり、かつ任意に変更できるものである。
これらの場合においても電光表示は例えば電球による多数の表示素子をもって表示するものの他、多数の表示素子として多数のＬＥＤの表示によるものや或いは電光管等によるもの、或いは周知の他の表示素子を用いるものであってもよく、電光表示に限らず他の表示方法や表示素子類をもって特定の表示を変換可能な表示であってもよい。
【００２２】
例えば一面に色彩の付された棒状素子が四角形状の各辺部にあると共に中央部にも上下片に平行な棒状素子を有し、これ等の反転によって任意の数字表示を表示する表示素子からなる表示板を用いるものでもよい。
或いはこのような棒状の液晶表示部を有するものであってもよい。
更にこれらはその表示を制御するコントロール部をもって表示を制御するものでも、或いは駐車場の管理や料金請求の各種システムと連動して表示するものであってもいずれであってもよい。
【図面の簡単な説明】
【００２３】
【図１】本考案に係る駐車場料金額表示板の一例を示す図
【図２】本考案に係る駐車場料金額表示板の一例を示す図
【図３】本考案に係る駐車場料金額表示板の一例を示す図
【図４】本考案に係る駐車場料金額表示板の他の一例を示す図
【図５】本考案に係る駐車場料金額表示板の他の一例を示す図
【符号の説明】
【００２４】
１    表示板
２    駐車料金の計算の基準となる時間の表示
３    単位時間当たりの料金額の表示
【図１】
0003151090.tif 000003
【図２】
0003151090.tif 000004
【図３】
0003151090.tif 000005
【図４】
0003151090.tif 000006
【図５】
0003151090.tif 000007
【手続補正書】
【提出日】平成21年3月30日(2009.3.30)
【手続補正１】
【補正対象書類名】実用新案登録請求の範囲
【補正対象項目名】全文
【補正方法】変更
【補正の内容】
【実用新案登録請求の範囲】
【請求項１】
駐車場の駐車料金を表示する駐車場料金額表示板であって、
ＬＥＤよりなる多数の表示素子を有する単位時間当たりの料金額を表示する料金額の表示３を有することを特徴とする駐車場料金額表示板。
【請求項２】
駐車場の駐車料金を表示する駐車場料金額表示板であって、
ＬＥＤよりなる多数の表示素子を有する駐車料金の計算の基準となる時間の表示を行う時間の表示２を有することを特徴とする駐車場料金額表示板。
【請求項３】
駐車場の駐車料金を表示する駐車場料金額表示板であって、
ＬＥＤよりなる多数の表示素子を有する単位時間当たりの料金額を表示する料金額の表示３と、
ＬＥＤよりなる多数の表示素子を有する駐車料金の計算の基準となる時間の表示を行う時間の表示２とを有することを特徴とする駐車場料金額表示板。
【請求項４】
電光表示が電球よりなる多数の表示素子であることを特徴とする請求項１乃至３のいずれかに記載の駐車場料金額表示板。
【請求項５】
電光表示が電光管よりなる表示素子であることを特徴とする請求項１乃至３のいずれかに記載の駐車場料金額表示板。
【請求項６】
電光表示に代えて液晶表示からなることを特徴とする請求項１乃至３のいずれかに記載の駐車場料金額表示板。
【請求項７】
表示素子の表示を制御する制御コントロール部を有することを特徴とする請求項１乃至６のいずれかに記載の駐車場料金額表示板。
【手続補正２】
【補正対象書類名】明細書
【補正対象項目名】０００９
【補正方法】変更
【補正の内容】
【０００９】
以上のように係る課題を見事に解決するため、画期的な考案を提供するものであり、先ず請求項１に係る考案は、駐車場の駐車料金を表示する駐車場料金額表示板であって、ＬＥＤよりなる多数の表示素子を有する単位時間当たりの料金額を表示する料金額の表示を有する駐車場料金額表示板であって、係る考案によって前記課題を解決できる。
【手続補正３】
【補正対象書類名】明細書
【補正対象項目名】００１０
【補正方法】変更
【補正の内容】
【００１０】
又、請求項２に係る考案は駐車場の駐車料金を表示する駐車場料金額表示板であって、ＬＥＤよりなる多数の表示素子を有する駐車料金の計算の基準となる時間の表示を行う時間の表示を有する駐車場料金額表示板であり、係る考案であってもよい。
この他、請求項３に係る考案は、駐車場の駐車料金を表示する駐車場料金額表示板であって、
ＬＥＤよりなる多数の表示素子を有する単位時間当たりの料金額を表示する料金額の表示とＬＥＤよりなる多数の表示素子を有する駐車料金の計算の基準となる時間の表示を行う時間の表示とを有する駐車場料金額表示板であり、係る構成でもよい。
【手続補正４】
【補正対象書類名】明細書
【補正対象項目名】００１１
【補正方法】変更
【補正の内容】
【００１１】
これらの場合、請求項４に係る考案のように電光表示が電球よりなる多数の表示素子であっても、請求項５に係る考案のように電光表示が電光管よりなる表示素子であってもよく、請求項６に係る考案のように電光表示に代えて液晶表示からなるものであってもよい。
更に、この表示に関しては、請求項７に係る考案のように電光表示の表示内容を制御コントロール部によって制御するものでもよい。
【手続補正５】
【補正対象書類名】明細書
【補正対象項目名】００１４
【補正方法】変更
【補正の内容】
【００１４】
次に請求項４に係る考案によれば電光表示を電球によって可能となり、又請求項５に係る考案によれば電光管によっても同様に電光表示ができるものであって見やすい表示板の提供を可能とする。
又、請求項６によっても液晶表示による表示板の提供を可能とできる。
更に請求項７に係る考案によれば制御コントロール部によって簡単に表示内容の制御ができるものとなる。